(57)【特許請求の範囲】
【請求項１】
遊技機及び遊技媒体貸し機への遊技媒体の補給を管理する装置であって、
所定の条件が満たされると遊技機に設定される特賞状態の設定に関する情報を記憶可能なホールコンピュータと通信可能に構成され、
前記ホールコンピュータから出力された特賞状態の設定に関する情報を受け付け、この情報を遊技機への遊技媒体の補給に関する情報と関連付ける情報処理手段が含まれており、
前記遊技媒体の補給に関する情報として、当日の累計補給時間である第１補給時間と、その前日以前の所定期間内の特賞状態設定回数及び当該所定期間内の補給時間から算出された特賞状態設定１回当たりの補給時間である第２補給時間とが用いられ、
前記特賞状態の設定に関する情報には当日の特賞状態設定回数が含まれ、
前記情報処理手段は、前記第１補給時間を前記第２補給時間で除することによって当日の見かけの回数を算出し、この算出された見かけの特賞回数と当日の特賞状態設定回数とを対比する補給管理装置。
【請求項２】
表示装置と、
前記情報処理手段によって前記特賞状態の設定に関する情報と前記補給に関する情報とが関連付けられた情報を前記表示装置に表示する表示制御手段と、を有する請求項１に記載の補給管理装置。
【請求項３】
所定の判定条件に基づいて、前記遊技機の異常を判定する判定制御手段が含まれている請求項１又は２に記載の補給管理装置。
【請求項４】
複数の遊技機及び複数の遊技媒体貸し機への遊技媒体の補給を管理する装置であって、
前記判定制御手段により異常があると判定された場合に、異常があると判定された遊技機を前記ホールコンピュータに通知する請求項３に記載の補給管理装置。
【請求項５】
前記判定制御手段により異常があると判定された場合に、前記異常があると判定された遊技機への遊技媒体の補給を停止するための停止処置手段を有する請求項３に記載の補給管理装置。
【請求項６】
遊技機及び遊技媒体貸し機への遊技媒体の補給を管理する装置であって、
所定の条件が満たされると遊技機に設定される特賞状態の設定に関する情報を記憶可能なホールコンピュータと通信可能に構成され、
前記ホールコンピュータから出力された特賞状態の設定に関する情報を受け付け、この情報を遊技機への遊技媒体の補給に関する情報と関連付ける情報処理手段が含まれており、
前記遊技媒体の補給に関する情報には補給回数が含まれ、
前記特賞状態の設定に関する情報には特賞状態設定回数が含まれ、
前記情報処理手段は、所定期間内における特賞状態以外の状態での補給回数を導出する補給管理装置。
【請求項７】
前記情報処理手段は、所定期間内における特賞状態以外の状態での補給回数と、所定期間内における特賞状態設定回数とを対比する請求項６に記載の補給管理装置。
【請求項８】
遊技機及び遊技媒体貸し機への遊技媒体の補給を管理する装置であって、
所定の条件が満たされると遊技機に設定される特賞状態の設定に関する情報を記憶可能なホールコンピュータと通信可能に構成され、
前記ホールコンピュータから出力された特賞状態の設定に関する情報を受け付け、この情報を遊技機への遊技媒体の補給に関する情報と関連付ける情報処理手段が含まれており、
前記ホールコンピュータは、遊技媒体貸し機の売上げに関する情報を記憶可能であり、
前記情報処理手段は、前記ホールコンピュータから出力された遊技媒体貸し機の売上げに関する情報を受け付け、この情報を遊技媒体貸し機への遊技媒体の補給に関する情報と関連付け、
補給要求が出される前の所定時間以内に前記遊技媒体貸し機で売上げがあったか否かにより、前記遊技媒体貸し機の異常の有無を判定する判定制御手段が含まれている補給管理装置。
【請求項９】
遊技機の異常を監視するための方法であって、
遊技機及び遊技媒体貸し機への遊技媒体の補給を管理する装置が用いられ、
所定の条件が満たされると遊技機に設定される特賞状態の設定に関する情報を記憶可能なホールコンピュータから出力された特賞状態の設定に関する情報を前記装置で受け付け、この情報を遊技機への遊技媒体の補給に関する情報と関連付ける情報処理工程が含まれており、
前記補給に関する情報として、当日の累計補給時間である第１補給時間と、その前日以前の所定期間内の特賞状態設定回数及び当該所定期間内の補給時間から算出された特賞状態設定１回当たりの補給時間である第２補給時間とが用いられ、
前記特賞状態の設定に関する情報には当日の特賞状態設定回数が含まれ、
前記情報処理工程では、前記第１補給時間を前記第２補給時間で除することによって当日の見かけの特賞回数を算出し、この算出された見かけの特賞回数と当日の特賞状態設定回数とを対比可能な状態にする遊技機の異常監視方法。
【請求項１０】
複数の遊技機及び複数の遊技媒体貸し機への遊技媒体の補給を管理する装置によって遊技機の異常を監視するための方法であって、
異常があると判定された場合に、異常があると判定された遊技機を前記ホールコンピュータに通知する請求項９に記載の遊技機の異常監視方法。
【請求項１１】
遊技機に異常があると判定された場合に、前記遊技機への遊技媒体の補給を停止する請求項１０に記載の遊技機の異常監視方法。
【請求項１２】
遊技機の異常を監視するための方法であって、
遊技機及び遊技媒体貸し機への遊技媒体の補給を管理する装置が用いられ、
所定の条件が満たされると遊技機に設定される特賞状態の設定に関する情報を記憶可能なホールコンピュータから出力された特賞状態の設定に関する情報を前記装置で受け付け、この情報を遊技機への遊技媒体の補給に関する情報と関連付ける情報処理工程が含まれており、
前記補給に関する情報には補給回数が含まれ、
前記特賞状態の設定に関する情報には特賞状態設定回数が含まれ、
前記情報処理工程では、所定期間内における特賞状態以外の状態での補給回数を導出する遊技機の異常監視方法。
【請求項１３】
前記情報処理工程では、所定期間内における特賞状態以外の状態での補給回数と、所定期間内における特賞状態設定回数とを対比する請求項１２に記載の遊技機の異常監視方法。
【請求項１４】
コンピュータに読み込まれて当該コンピュータを機能させることにより、請求項９から１３の何れか１項に記載の遊技機の異常監視方法を実行するためのコンピュータプログラム。
【発明の詳細な説明】
【技術分野】
【０００１】
本発明は、補給管理装置及び遊技機の異常監視方法に関するものである。
【背景技術】
【０００２】
従来、下記特許文献１、２及び３に開示されているように、遊技機に対する不正操作、遊技機の故障等の遊技機の異常を判定する装置が知られている。特許文献１に開示された異常判定装置は、遊技機のドラムの回転によって当たりが発生したことを示す制御信号が出力されず、かつメダルの払出しが指示されたことを示す信号が出力されていないにも拘らず、メダルの払出しが確認された場合に、遊技機の不正操作又は機器の故障があったと判定するようにしている。
【０００３】
また、特許文献２に開示された異常判定装置では、玉貸し機から出力される信号に基づく貸し玉数、賞球玉の払出しに応じた遊技機からの賞球信号に基づく賞球玉数、補給装置から出力される補給信号に基づく補給数を用い、貸し玉数と賞球玉数との和と補給数との誤差に基づいて不正又は異常を検知するようにしている。
【０００４】
また、特許文献３に開示された異常判定装置では、遊技機から得られるメダル投入個数データ、遊技機から得られるメダル払出し個数データ、貸し機から得られる貸し出し個数データを用いて不正又は異常を検知するようにしている。
【０００５】
一方、特許文献４には、ホールコンピュータから特賞遊技情報と島情報を受信し、この情報に基づいて、島間で遊技媒体の移送を行って遊技媒体の過不足を補うようにした補給監視装置が開示されている。
【特許文献１】特許第３５６３６５３号特許明細書
【特許文献２】特開２００３−２７５４４４号公報
【特許文献３】特開平６−２６１９７９号公報
【特許文献４】特開平８−８４８４５号公報
【発明の開示】
【発明が解決しようとする課題】
【０００６】
特許文献１〜３の異常判定装置では、メダルが遊技機から払い出されたことを直接検知するか、遊技機から払い出された賞球玉数を検出しなければ遊技機の異常検知を見つけるきっかけが得られないという問題がある。
【０００７】
一方、特許文献４では、集中管理装置がホールコンピュータから特賞遊技情報を受信することが開示されているとはいえ、遊技機の異常検知については何ら考慮されていない。
【０００８】
そこで、本発明の目的は、遊技機から遊技媒体が払い出されたことを直接検知したり、実際に払い出された遊技媒体の数を検出したりすることができなくても、遊技機及び遊技媒体貸し機への遊技媒体の補給を管理する装置によって遊技機の異常の有無を、現在の設備を変更することなく、効果的に判断可能とすることである。
【課題を解決するための手段】
【０００９】
前記の目的を達成するため、本発明は、遊技機及び遊技媒体貸し機への遊技媒体の補給を管理する装置であって、所定の条件が満たされると遊技機に設定される特賞状態の設定に関する情報を記憶可能なホールコンピュータと通信可能に構成され、前記ホールコンピュータから出力された特賞状態の設定に関する情報を受け付け、この情報を遊技機への遊
技媒体の補給に関する情報と関連付ける情報処理手段が含まれており、前記遊技媒体の補給に関する情報として、当日の累計補給時間である第１補給時間と、その前日以前の所定期間内の特賞状態設定回数及び当該所定期間内の補給時間から算出された特賞状態設定１回当たりの補給時間である第２補給時間とが用いられ、前記特賞状態の設定に関する情報には当日の特賞状態設定回数が含まれ、前記情報処理手段は、前記第１補給時間を前記第２補給時間で除することによって当日の見かけの回数を算出し、この算出された見かけの特賞回数と当日の特賞状態設定回数とを対比する補給管理装置である。
【００１０】
本発明による補給管理装置では、特賞状態の設定に関する情報と遊技媒体の補給に関する情報とが情報処理手段によって関連付けられるために、例えば補給装置から遊技機への遊技媒体の補給が、特賞状態に設定された回数の割に多いというような情報を得ることが可能となる。このため、本発明では、遊技機から遊技媒体が払い出されるのを直接検知できなくても、あるいは遊技機から払い出された遊技媒体の数を検出できなくても遊技機の異常の有無を判断可能とすることができる。しかも、ホールコンピュータから特賞状態の設定に関する情報が得られるので、特賞状態の設定に関する情報を得るために各遊技機と補給管理装置とを通信接続する必要がない。このため、現在の設備を変更する必要がない。なお、ここでいう遊技機の異常には、遊技機の故障等のように遊技機自体に異常がある場合や、遊技機に異常はなくても遊技機に対する不正操作がなされた場合も含まれる。
さらに本発明では、前日以前の所定期間の統計的なデータから算出された特賞状態設定回数（見かけの特賞回数）と、当日に実際に特賞状態に設定された回数とを対比できるので、異常発生の有無についての客観的な判断材料を得ることができる。
【００１１】
ここで、前記補給管理装置は、表示装置と、前記情報処理手段によって前記特賞状態の設定に関する情報と前記補給に関する情報とが関連付けられた情報を前記表示装置に表示する表示制御手段と、を有するのが好ましい。
【００１２】
この態様では、表示装置での表示を通して、補給状況と特賞状態の設定状況とが関連付けられた情報を視覚的に把握することが可能となる。このため、店員等の遊技機の状況を監視する者が異常の有無を判断し易くすることができる。
【００１３】
また、前記補給管理装置は、所定の判定条件に基づいて、前記遊技機の異常を判定する判定制御手段が含まれているのが好ましい。
【００１４】
この態様では、店員等の遊技機の状況を監視する者の判断に任せることなく、遊技機の異常の有無を客観的に判定することができる。このため、熟練した店員等がいない場合にも所定の判定基準で遊技機の異常を判定することが可能となる。
【００１５】
また、複数の遊技機及び複数の遊技媒体貸し機への遊技媒体の補給を管理する装置である場合には、前記判定制御手段により異常があると判定された場合に、異常があると判定された遊技機を前記ホールコンピュータに通知するのが好ましい。
【００１６】
この態様では、複数の遊技機及び複数の遊技媒体貸し機のうち異常のある遊技機をホールコンピュータで把握することができるので、補給管理装置から出力される情報を、所定の処置を施すための情報として利用することが可能となる。
【００１７】
この態様において、前記判定制御手段により異常があると判定された場合に、前記異常があると判定された遊技機への遊技媒体の補給を停止するための停止処置手段を有するのが好ましい。
【００１８】
この態様では、前記遊技機の異常があった場合等に、その遊技機への遊技媒体の補給を停止することができるので、不正操作による被害の拡大を抑制することが可能となる。
【００２１】
また、本発明は、遊技機及び遊技媒体貸し機への遊技媒体の補給を管理する装置であって、所定の条件が満たされると遊技機に設定される特賞状態の設定に関する情報を記憶可能なホールコンピュータと通信可能に構成され、前記ホールコンピュータから出力された特賞状態の設定に関する情報を受け付け、この情報を遊技機への遊技媒体の補給に関する情報と関連付ける情報処理手段が含まれており、前記遊技媒体の補給に関する情報には補給回数が含まれ、前記特賞状態の設定に関する情報には特賞状態設定回数が含まれ、前記情報処理手段は、所定期間内における特賞状態以外の状態での補給回数を導出する補給管理装置である。
【００２２】
本発明による補給管理装置では、特賞状態の設定に関する情報と遊技媒体の補給に関する情報とが情報処理手段によって関連付けられるために、例えば補給装置から遊技機への遊技媒体の補給が、特賞状態に設定された回数の割に多いというような情報を得ることが可能となる。このため、本発明では、遊技機から遊技媒体が払い出されるのを直接検知できなくても、あるいは遊技機から払い出された遊技媒体の数を検出できなくても遊技機の異常の有無を判断可能とすることができる。しかも、ホールコンピュータから特賞状態の設定に関する情報が得られるので、特賞状態の設定に関する情報を得るために各遊技機と補給管理装置とを通信接続する必要がない。このため、現在の設備を変更する必要がない。
そして、本発明では、特賞状態でないにも拘らず遊技媒体が遊技機に補給されている回数が、遊技機の異常有無の判断材料として利用可能となる。すなわち、特賞状態に設定されていない状態では、通常、遊技媒体が遊技機に補給されないので、特賞状態以外の状態での補給回数を導出することにより、異常の有無について判断可能となる。
【００２３】
この態様において、前記情報処理手段は、所定期間内における特賞状態以外の状態での補給回数と、所定期間内における特賞状態設定回数とを対比するのが好ましい。
【００２４】
この態様では、特賞状態に設定されていない状態での補給回数と特賞状態設定回数との対比が行われるので、特賞状態に設定された回数の影響を除外することができる。したがって、異常の有無についてのより客観的な判断材料を得ることができる。
【００２５】
また、本発明は、遊技機及び遊技媒体貸し機への遊技媒体の補給を管理する装置であって、所定の条件が満たされると遊技機に設定される特賞状態の設定に関する情報を記憶可能なホールコンピュータと通信可能に構成され、前記ホールコンピュータから出力された特賞状態の設定に関する情報を受け付け、この情報を遊技機への遊技媒体の補給に関する情報と関連付ける情報処理手段が含まれており、前記ホールコンピュータが、遊技媒体貸し機の売上げに関する情報を記憶可能である場合には、前記情報処理手段は、前記ホールコンピュータから出力された遊技媒体貸し機の売上げに関する情報を受け付け、この情報を遊技媒体貸し機への遊技媒体の補給に関する情報と関連付け、補給要求が出される前の所定時間以内に前記遊技媒体貸し機で売上げがあったか否かにより、前記遊技媒体貸し機の異常の有無を判定する判定制御手段が含まれている補給管理装置である。
【００２６】
本発明による補給管理装置では、特賞状態の設定に関する情報と遊技媒体の補給に関する情報とが情報処理手段によって関連付けられるために、例えば補給装置から遊技機への遊技媒体の補給が、特賞状態に設定された回数の割に多いというような情報を得ることが可能となる。このため、本発明では、遊技機から遊技媒体が払い出されるのを直接検知できなくても、あるいは遊技機から払い出された遊技媒体の数を検出できなくても遊技機の異常の有無を判断可能とすることができる。しかも、ホールコンピュータから特賞状態の設定に関する情報が得られるので、特賞状態の設定に関する情報を得るために各遊技機と補給管理装置とを通信接続する必要がない。このため、現在の設備を変更する必要がない。
そして、本発明では、遊技機における異常の有無を判断可能となるばかりでなく、遊技媒体貸し機における異常の有無についても判断可能となる。すなわち、遊技媒体貸し機において遊技媒体が払い出されたことが当該遊技媒体貸し機での売上げによるものか否かが分かるので、遊技媒体貸し機の売上げに関する情報とこの遊技媒体貸し機への補給に関する情報とを関連付けることにより、遊技媒体貸し機における異常の有無の判断が可能となる。しかも、判定制御手段が含まれているので、異常の有無を判定し易くなる。
【００２８】
本発明は、遊技機の異常を監視するための方法であって、遊技機及び遊技媒体貸し機への遊技媒体の補給を管理する装置が用いられ、所定の条件が満たされると遊技機に設定される特賞状態の設定に関する情報を記憶可能なホールコンピュータから出力された特賞状態の設定に関する情報を前記装置で受け付け、この情報を遊技機への遊技媒体の補給に関する情報と関連付ける情報処理工程が含まれており、前記補給に関する情報として、当日の累計補給時間である第１補給時間と、その前日以前の所定期間内の特賞状態設定回数及び当該所定期間内の補給時間から算出された特賞状態設定１回当たりの補給時間である第２補給時間とが用いられ、前記特賞状態の設定に関する情報には当日の特賞状態設定回数が含まれ、前記情報処理工程では、前記第１補給時間を前記第２補給時間で除することによって当日の見かけの特賞回数を算出し、この算出された見かけの特賞回数と当日の特賞状態設定回数とを対比可能な状態にする遊技機の異常監視方法である。
【００２９】
複数の遊技機及び複数の遊技媒体貸し機への遊技媒体の補給を管理する装置によって遊技機の異常を監視するための方法である場合には、異常があると判定された場合に、異常があると判定された遊技機を前記ホールコンピュータに通知するのが好ましい。
【００３０】
この方法において、遊技機に異常があると判定された場合に、前記遊技機への遊技媒体の補給を停止するのが好ましい。
【００３２】
また、本発明は、遊技機の異常を監視するための方法であって、遊技機及び遊技媒体貸し機への遊技媒体の補給を管理する装置が用いられ、所定の条件が満たされると遊技機に設定される特賞状態の設定に関する情報を記憶可能なホールコンピュータから出力された特賞状態の設定に関する情報を前記装置で受け付け、この情報を遊技機への遊技媒体の補給に関する情報と関連付ける情報処理工程が含まれており、前記補給に関する情報には補給回数が含まれ、前記特賞状態の設定に関する情報には特賞状態設定回数が含まれ、前記情報処理工程では、所定期間内における特賞状態以外の状態での補給回数を導出する遊技機の異常監視方法である。
【００３３】
この方法において、前記情報処理工程では、所定期間内における特賞状態以外の状態での補給回数と、所定期間内における特賞状態設定回数とを対比するようにしてもよい。
【００３４】
本発明は、コンピュータに読み込まれて当該コンピュータを機能させることにより、前記遊技機の異常監視方法を実行するためのコンピュータプログラムである。
【発明の効果】
【００３５】
以上説明したように、本発明によれば、遊技機から遊技媒体が払い出されたことを直接検知したり、実際に払い出された遊技媒体の数を検出したりすることができなくても、遊技機の異常の有無を、現在の設備を変更することなく、効果的に判断可能とすることができる。
【発明を実施するための最良の形態】
【００３６】
以下、本発明の一実施形態について、図面を参照しつつ説明する。
【００３７】
図１は、本発明に係る補給管理装置の一実施形態が適用される補給装置１を遊技機４及び遊技媒体貸し機５と共に概略的に示している。この図は、一対の遊技機４，４が背中合わせに配設されるとともにこれら一対の遊技機４，４が一列に配列される、いわゆる島３を示している。なお、図１は島３を側方から見た図なので、同図には、一対の遊技機４のうち一方の遊技機４のみが描かれている。通常、１店舗にこの島３が複数設けられることになる。
【００３８】
本実施形態では、遊技機４はスロットマシンとして構成されており、この遊技機４では遊技媒体の一例としてメダル２（図３参照）が使用される。遊技機４は、遊技者がメダル２を投入して、所定の操作がなされることにより遊技を開始する。そして、遊技機４は、その遊技の勝ち負けに応じてメダル２を払い出す。
【００３９】
互いに隣り合う遊技機４間には、遊技媒体貸し機（以下、単に貸し機という）５が配設されている。貸し機５は、遊技機４で使用されるメダル２を利用者に貸し出すための装置である。
【００４０】
まず、遊技機４にメダル２を補給するための補給装置１の構成について説明する。この補給装置１は、島３ごとに１つずつ設けられており（図４参照）、各補給装置１は、その島３に設けられている遊技機４及び貸し機５にメダル２を補給する。
【００４１】
補給装置１は、遊技機４にメダル２を補給可能に構成された補給機構６と、この補給機構６を制御する補給制御装置としてのメインユニット４０（図５参照）とを備えている。
【００４２】
補給機構６は、図１に示すように、メダル２を貯溜管理するための本体部８と、この本体部８から側方に延設されるコンベア１１，１２を有する搬送部９とを有する。搬送部９は、遊技機４の上方に配設されたコンベア（上側コンベア）１１を有する供給部１３と、遊技機４の下方に配設されたコンベア（下側コンベア）１２を有する回収部１４と、上側コンベア１１の下流端と下側コンベア１２の上流端とを結ぶように配設されたシューター１５と、を備えている。
【００４３】
本体部８は縦長のケース１８を備えており、このケース１８内には、多数のメダル２を貯留可能なメインタンク２０と、メインタンク２０の下方に配置された収容部２１と、収容部２１に収容されたメダル２を上方へ搬送するリフト部２２と、リフト部２２の上端部においてメダル２の振り分けを行うための振り分け機構２３と、メダル２を洗浄するための洗浄機２４と、が配設されている。
【００４４】
収容部２１には、回収部１４によって回収されたメダル２と、メインタンク２０から払い出されたメダル２とが収容される。振り分け機構２３は、リフト部２２にて揚送されたメダル２を、搬送部９側とメインタンク２０側とに振り分ける。具体的に、振り分け機構２３は、正逆方向に周回可能なベルトコンベアを有し、このベルトコンベアの周回方向を変更することによってメダル２の行き先を振り分ける。洗浄機２４は、振り分け機構２３によってメインタンク２０側に振り分けられたメダル２を洗浄する。洗浄機２４によって洗浄されたメダル２はメインタンク２０へ供給される。
【００４５】
また、本体部８には、遊技者が獲得したメダル２の個数を計数するための計数機２７と、この計数機２７を通過したメダル２が収容される一次タンク２８と、この一次タンク２８およびメインタンク２０からオーバーフローしたメダル２を受けるオーバーフロータンク２９と、一次タンク２８のメダル２を収容部２１に供給する供給樋３０と、洗浄機２４との間で循環される洗浄液を貯留する洗浄液タンク３１と、が配設されている。
【００４６】
前記搬送部９の供給部１３は、図２に示すように、上側コンベア１１によって搬送されるメダル２を遊技機４又は貸し機５に向けて案内するための案内手段３４を備えている。案内手段３４は、鉛直軸回りに揺動可能に構成された案内部３４ａを有している。案内部３４ａは、一対の遊技機４，４又は一対の貸し機５，５に対応して設けられている。すなわち、各案内部３４ａは、右側又は左側に振れることにより、背中合わせに配設された一対の遊技機４，４（又は貸し機５，５）に対して、どちらかの遊技機４（又は貸し機５）にメダル２を案内する。
【００４７】
案内部３４ａは昇降可能に構成されている。すなわち、案内部３４ａは、コンベア上のメダル２を遊技機４又は貸し機５に振り分ける振り分け位置と、この振り分け位置から上昇してコンベア１１上のメダル２を通過させる退避位置との二位置を取り得る。案内部３４ａが振り分け位置にある状態では、コンベア１１上のメダル２は、取り込み部４ｈ（５ｈ）を通して遊技機４（貸し機５）に供給される。なお、遊技機４及び貸し機５に案内されることなく上側コンベア１１上を搬送されたメダル２は、シューター１５に導入される。
【００４８】
一方、搬送部９の回収部１４は、遊技機４から排出されたメダル２と、シューター１５から排出されたメダル２とを回収する。この回収部１４の下側コンベア１２で搬送されるメダル２は、本体部８の収容部２１に戻される。
【００４９】
遊技機４には、図３に示すように、メダル２を貯溜するためのホッパー４ｂと、ホッパー４ｂに貯溜されたメダル２を払い出すための払出し装置４ａとが設けられている。ホッパー４ｂには、取り込み部４ｈを通して導入されたメダル２が貯溜される。
【００５０】
払出し装置４ａは、メダル検出部としての一対の電極部４ｄ，４ｅと、ホッパー４ｂの下部に設けられた払出し部４ｆとを有している。両電極部４ｄ，４ｅは、ホッパー４ｂの側壁部に取り付けられたブラケット４ｃによって支持されており、この電極部４ｄ，４ｅはホッパー４ｂの側壁部からホッパー内側の底部近傍に向かって延設されている。
【００５１】
両電極部４ｄ，４ｅは、ホッパー４ｂ内のメダル２が残り少なくなったことを検知するニアエンドセンサー４ｇとして機能する。すなわち、メダル２がホッパー４ｂ内に貯留されているときには、電極部４ｄ、４ｅ間がメダル２を介して導通することにより、メダル２の存在が検知される。そして、払出し部４ｆによりホッパー４ｂ内のメダル２がある程度払い出されて、ホッパー４ｂ内のメダル２が残り少なくなると、電極部４ｄ、４ｅ間の導通がなくなるので、これによりホッパー４ｂ内のメダル２が残り少なくなったこと（ニアエンド）が検知される。このニアエンドの検知により、ニアエンドセンサー４ｇから補給要求Ｓ１（図５参照）が出力される。電極部４ｄ，４ｅ間の導通の変化をメインユニット４０で認識可能となっており、電極部４ｄ，４ｅ間で導通がなくなったことをメインユニット４０が認識したことにより、ニアエンドセンサー４ｇから補給要求Ｓ１が出力されたとみなしている。なお、貸し機５にも払出し装置（図示省略）が設けられており、この払出し装置にもニアエンドセンサー５ｇ（図５参照）が設けられている。そして、ニアエンドセンサー５ｇによって貯溜メダル２が残り少なくなったことが検知されると、補給要求Ｓ１が出力される。この貸し機５の補給要求Ｓ１についても遊技機４の補給要求Ｓ１と同様である。
【００５２】
次に、補給装置１の制御系統について説明する。補給装置１は、前述したように補給機構６を制御するためのメインユニット４０を有しており、このメインユニット４０は、図４に示すように島３ごとに設けられている。そして、複数（図例では３つ）の島３を１グループとして、各グループに１つの島コントローラ４２が接続されている。島コントローラ４２は、複数の島３のグループのメインユニット４０を制御可能に構成されている。
【００５３】
また、図４は、複数の島コントローラ４２がハブ４４を介して１つの管理コンピュータ４６に接続された例を示している。この管理コンピュータ４６は店舗内の全ての遊技機４の補給状況やエラー発生状況を総合的に管理する。
【００５４】
メインユニット４０は、各遊技機４及び貸し機５のメダル補給状況及びエラー発生状況を監視可能に構成されるものであり、図５に示すように、制御部４０ａと記憶部４０ｂとを備えている。制御部４０ａは、記憶部４０ｂに格納された制御プログラムを実行することで所定の機能を発揮させるものであり、ＣＰＵ等によって構成されている。メインユニット４０は、補給要求Ｓ１が出力された遊技機４又は貸し機５にメダル２を補給するように補給機構６を作動させる。具体的には、遊技機４又は貸し機５のニアエンドセンサー４ｇ，５ｇからの補給要求Ｓ１を受信すると、リフト部２２、振り分け機構２３及び上側コンベア１１を駆動し、また、補給要求Ｓ１を出力した遊技機４又は貸し機５に対応する案内手段３４の案内部３４ａを振り分け位置に移動させるとともに、案内部３４ａを左側又は右側に振る（補給開始）。そして、当該遊技機４又は貸し機５にメダル２を補給し、電極間４ｄ，４ｅが再び導通すると、補給終了信号Ｓ２を出力するとともに、その所定時間後に案内部３４ａを再び退避位置に戻す（補給終了）。これにより、遊技機４又は貸し機５にはメダル２が適当枚数充填されることになる。なお、補給終了信号Ｓ２は、メインユニット４０が電極部４ｄ，４ｅ間の導通を検知したことにより、遊技機４から出力されたとみなされるものである。
【００５５】
メインユニット４０には、図６に示すように、複数台の中継ユニット４８が接続されている。各中継ユニット４８にはそれぞれＩＤが割り当てられており、また各中継ユニット４８には遊技機４又は貸し機５の接続ポイントが複数設けられている。この接続ポイントには、遊技機４又は貸し機５のニアエンドセンサー４ｇ，５ｇが接続されている。例えば各中継ユニット４８には、遊技機４と貸し機５とがそれぞれ３台ずつ接続されている。そして、補給要求Ｓ１（又は補給終了信号Ｓ２）が出力されたときに、どの中継ユニット４８のどの接続ポイントに補給要求Ｓ１（又は補給終了信号Ｓ２）が入力されたかによって、遊技機４あるいは貸し機５が特定され、どの遊技機４あるいは貸し機５から補給要求Ｓ１（補給終了信号Ｓ２）が出されたのかがメインユニット４０により認識可能となっている。
【００５６】
メインユニット４０は、島コントローラ４２を経由して管理コンピュータ４６と通信可能に接続されている。そして、メインユニット４０は、各遊技機４及び貸し機５のメダル補給状況及びエラー発生状況を管理コンピュータ４６に通知する。また、補給要求Ｓ１及び補給終了信号Ｓ２は、メインユニット４０から出力されて、島コントローラ４２を経由して管理コンピュータ４６に入力されるようになっている。
【００５７】
島コントローラ４２は、当該島コントローラ４２によって管理される各島３のメダル補給管理を行う。すなわち、当該島コントローラ４２に接続されている島３間でもメダル２の搬送が可能となっており、ある島３から補給要求Ｓ１が出力され続ける等、特定の島３のメダル２が不足していると判断されたときには、他の島３からメダル２を補給するように動作制御可能となっている。管理コンピュータ４６は、各島３による補給管理を統合制御する。すなわち、管理コンピュータ４６は複数の遊技機４及び複数の貸し機５へのメダル２の自動補給を集中管理する。
【００５８】
管理コンピュータ４６は、ホールに設置された各遊技機４、貸し機５等の各種データを収集して管理するホールコンピュータ４５と通信可能に接続されている。この接続は、例えばＬＡＮ接続とすることができる。
【００５９】
ホールコンピュータ４５は、ホールに設置された各遊技機４及び貸し機５が通信線４７によって通信可能に接続されている。具体的に、遊技機４にはそれぞれ端子基板５０が設けられており、また貸し機５にもそれぞれ端子基板５１が設けられており、ホールコンピュータ４５はこれら端子基板５０，５１と接続されている。なお、本実施形態では、ホールコンピュータ４５と各遊技機４及び貸し機５とが通信線４７で接続される構成を示しているが、無線で通信可能に構成してもよい。
【００６０】
遊技機４は、表示部（図示省略）に表示された図柄が所定の条件を満たす等、所定の特賞条件が満たされると、端子基板５０からボーナス信号Ｓ３を出力するように構成されている。このとき、遊技機４は特賞状態として設定される。特賞状態とは、所定の特賞条件が満たされることで設定される状態であって、通常の当たりよりもメダル２が多く払い出されるという遊技者にとって有利な状態を意味している。出力されたボーナス信号Ｓ３は、ホールコンピュータ４５に入力される。そして、ホールコンピュータ４５は、ボーナス信号Ｓ３に基づく特賞状態の設定に関する情報を管理コンピュータ４６に通知する。この通知はリアルタイムで行われる。
【００６１】
特賞状態の設定に関する情報には、本日の特賞発生回数、特賞の発生時刻、終了時刻、遊技機台番等の情報が含まれている。特賞発生回数は、ボーナス信号Ｓ３が入力されることにより遊技機４ごとにカウントされる。
【００６２】
一方、貸し機５は、メダル２の貸し出し（払出し）が行われると、売上げに応じた売上げ信号Ｓ４を端子基板５１から出力するように構成されている。出力された売上げ信号Ｓ４は、ホールコンピュータ４５に入力される。ホールコンピュータ４５には、売上げ信号Ｓ４に基づく売上げに関する情報等の経営に関する情報が記憶される。ホールコンピュータ４５は売上げ情報を管理コンピュータ４６にリアルタイムで通知する。売上げ情報には、売上げ発生時刻、貸し機台番等の情報が含まれている。
【００６３】
管理コンピュータ４６は、補給管理装置として機能するが、補給要求Ｓ１、補給終了信号Ｓ２、特賞状態の設定に関する情報及び売上げ情報を利用することにより、遊技機４及び貸し機５の異常を監視可能に構成されている。すなわち、管理コンピュータ４６は、遊技機４及び貸し機５の異常監視装置としての機能をも有する。以下、具体的に説明する。なお、ここでいう異常には、遊技機４の故障、貸し機５の故障等のように遊技機自体や貸し機自体に異常がある場合や、遊技機４や貸し機５に異常はなくても遊技機４や貸し機５に対する不正操作がなされた場合も含まれる。
【００６４】
図７に示すように、管理コンピュータ４６は、ＣＰＵ等からなる制御部４６ａと記憶部４６ｂとを備えており、制御部４６ａには表示装置５２が接続されている。制御部４６ａは、記憶部４６ｂに記憶されている制御プログラムを読み込んで実行することにより、所定の機能を発揮する。制御部４６ａの機能には、情報処理手段５５と、判定制御手段５６と、表示制御手段５７と、報知制御手段５８と、停止処置手段５９とが含まれている。
【００６５】
管理コンピュータ４６には、補給要求Ｓ１及び補給終了信号Ｓ２が入力される。そして、管理コンピュータ４６の情報処理手段５５は、補給要求Ｓ１が入力されると、遊技機４を識別し、補給要求Ｓ１の入力回数に１を加算する。つまり、情報処理手段５５は補給回数をカウントする。このとき遊技機４ごとに補給回数が計数される。補給回数は１日単位で計数され、それが所定期間（例えば７日間）分だけ記憶される。また、情報処理手段５５は、補給要求Ｓ１を受信すると、補給開始時刻を記憶し、補給終了信号Ｓ２を受信すると補給終了時刻を記憶する。
【００６６】
情報処理手段５５には、ホールコンピュータ４５から出力された特賞状態の設定に関する情報が記憶されるが、この情報に含まれる特賞回数は１日単位で計数され、それが所定期間（例えば７日間）分だけ記憶される。本実施形態では、特賞状態の設定に関する情報に、所定期間内における特賞状態の設定回数に関する情報である特賞回数が含まれている。
【００６７】
情報処理手段５５は、補給開始時刻と補給終了時刻とから補給時間を算出し、遊技機４ごとに補給時間を記憶する。この補給時間とは、補給開始時刻から補給終了時刻までの間の時間である。補給時間は１日単位で積算され、それが所定期間（例えば７日間）分だけ記憶される。
【００６８】
情報処理手段５５は、遊技機４ごとに当日の累計補給時間（第１補給時間）を算出する。また情報処理手段５５は、前日までの所定期間内（例えば７日間）の合計の補給時間を、当該所定期間内（例えば７日間）の特賞回数で除することにより、特賞回数１回当たりの補給時間（第２補給時間）を算出する。この第２補給時間は、所定期間内に発生した特賞１回当たりの平均の補給時間を意味する。本実施形態では、補給に関する情報として、何れもメダル２の補給時間に関する情報である第１補給時間と第２補給時間とが用いられている。なお、第２補給時間の算出に用いられる補給時間及び特賞回数は、全遊技機４についてのデータを積算したものである。これにより、遊技機４による補給時間のばらつきが緩和されるようになっている。
【００６９】
管理コンピュータ４６には、遊技機４ごとに特賞の発生回数、特賞の発生時刻、特賞の終了時刻、メダル補給の発生回数、補給開始時刻、補給終了時刻、補給時間が記憶される。図８に示すように、表示制御手段５７は、これらの情報を表示装置５２に表示可能に構成されている。図８はその例示である。
【００７０】
情報処理手段５５は、第１補給時間を第２補給時間で除することにより、見かけの特賞回数を算出する。すなわち、情報処理手段５５は、全遊技機４を対象として統計的に算出された平均補給時間を基にして、個々の遊技機４の見かけの特賞回数を算出する。これにより、補給時間に基づく見かけの特賞回数と実際の特賞回数とを遊技機４ごとに対比可能となる。言い換えると、情報処理手段５５は、特賞状態の設定に関する情報と補給に関する情報とを関連付けている。
【００７１】
情報処理手段５５には、ホールコンピュータ４５から出力された売上げ情報が記憶される。そして、情報処理手段５５は、この売上げ情報と補給に関する情報とを関連付ける。すなわち、売上げ情報に含まれる売上げ発生時刻と補給開始時刻とを貸し機５ごとに関連付ける。
【００７２】
判定制御手段５６は、遊技機４及び貸し機５の異常の有無を判定するための機能であり、判定制御手段５６は、記憶部４６ｂに記憶された判定条件を満足するか否かによって異常の有無を判定する。例えば、判定制御手段５６は、見かけの特賞回数とボーナス信号Ｓ３に基づいて計数された実際の特賞回数との比を算出し、その比が所定のしきい値を超えるか否かによって遊技機４の異常の有無を判定する。この判定は、遊技機４ごとに行われる。また、判定制御手段５６は、補給開始時刻と貸し機５の売上げ発生時刻との差を算出し、その差が所定のしきい値（例えば１分）を越えているか否かによって貸し機５の異常の有無を判定する。つまり、貸し機５への補給が当該貸し機５での売上げに基づくものかどうかを判定している。この判定は、貸し機５ごとに行われる。
【００７３】
判定条件のしきい値は変更可能となっている。このため、管理者が経験則に基づいてしきい値を調整することが可能であり、経験に基づいた基準値での異常判定を行うことが可能となっている。
【００７４】
表示制御手段５７は、表示装置５２の表示制御を行う機能である。例えば、図９に示すように、遊技機４ごとに実際の特賞回数と見かけの特賞回数とを対比させてグラフ表示する。すなわち、補給に関する情報と特賞状態の設定に関する情報とが関連付けられた情報が表示装置５２に表示される。
【００７５】
また、表示制御手段５７は、異常ありと判定された遊技機４については、表示を強調する、色を変える、点滅させる等により、異常の有無を視覚的に分かり易く表示するようになっている。
【００７６】
さらにまた、表示制御手段５７は、図１０に示すように、実際の特賞回数に対する見かけの特賞回数の比Ｃが大きい遊技機４から順に表示できるように表示装置５２を制御可能となっている。つまり、異常ありと判定された遊技機４又は異常の可能性の高い遊技機４から順に並べて表示することにより、異常監視対象を絞り易くなっている。
【００７７】
報知制御手段５８は、ホールコンピュータ４５に対して異常の発生を報知する制御を行う。この報知制御では、異常が検知された遊技機４及び貸し機５の台番、異常の内容をリアルタイムでホールコンピュータ４５に通知する。ホールコンピュータ４５は、例えばホールスタッフが有するインカムに異常のある台番及び異常内容を知らせる制御や、監視カメラによる該当遊技機４の撮影を行う制御を実行可能である。
【００７８】
停止処置手段５９は、判定制御手段５６によって異常ありと判定された遊技機４へのメダル２の補給を停止させる制御を実行する。
【００７９】
続いて、管理コンピュータ４６の制御動作のうち、異常監視に関する制御動作について説明する。まず図１１を参照しつつ、遊技機４の異常監視についての制御動作を説明する。
【００８０】
まず管理コンピュータ４６は、補給開始イベント即ち補給要求Ｓ１を受信すると（ステップＳＴ１０）、補給開始時刻を記憶する（ステップＳＴ１１）。そして、補給終了イベント即ち補給終了信号Ｓ２をするまで待機し（ステップＳＴ１２）、補給終了信号Ｓ２を受信すると補給終了時刻を記憶する（ステップＳＴ１３）。
【００８１】
次に、補給開始時刻と補給終了時刻とから補給時間を算出し、この算出された補給時間を当日の積算補給時間に加算する（ステップＳＴ１４）。これにより、遊技機４ごとの当日の累計補給時間（第１補給時間）が記憶される。一方、管理コンピュータ４６には、前日までの７日間の累計補給時間が記憶されており、この累計補給時間を前日までの７日間に発生した特賞回数で除することにより、特賞回数１回当たりの補給時間（第２補給時間）を平均補給時間として算出する（ステップＳＴ１５）。そして、第１補給時間を第２補給時間で除することにより、当該遊技機４の見かけの特賞回数を算出する（ステップＳＴ１６）。なお、管理コンピュータ４６では、この見かけの特賞回数とは別に実際の特賞回数が計数されており、表示装置５２において所定の画面を選択すると、図９に示すように、実際の特賞回数と見かけの特賞回数とを対比した状態で表示することが可能である。ステップＳＴ１６及びこの表示工程は、補給に関する情報と特賞状態の設定に関する情報とを関連付ける情報処理工程である。
【００８２】
そして、実際の特賞回数に対する見かけの特賞回数の比Ｃを算出し、この比Ｃが予め設定されているしきい値よりも大きいか否かを判定し（ステップＳＴ１７）、比Ｃがしきい値よりも大きな場合には、その遊技機４で異常があると判定され、ホールコンピュータ４５に警告の通知を行うとともにその遊技機４への補給を停止する（ステップＳＴ１８）。なお、しきい値は変更可能なため、しきい値が変更された場合には、ステップＳＴ１７では、変更されたしきい値を基準として異常の有無が判定される。
【００８３】
次に、図１２を参照しつつ、貸し機５の異常監視に関する制御動作を説明する。まず、売上げが発生したか否かが判定される（ステップＳＴ２１）。売上げが発生したときには、売上げが発生した貸し機５の台番及び発生時刻がホールコンピュータ４５に記憶されるとともに、この情報が管理コンピュータ４６にリアルタイムで送信され（ステップＳＴ２２）、ステップＳＴ２３に移る。売上げが発生していなければステップＳＴ２２を飛ばしてステップＳＴ２３に移る。
【００８４】
ステップＳＴ２３では、売上げが発生した貸し機５から補給要求Ｓ１があったか否かが判定される。そして、補給要求Ｓ１があった場合には、その補給開始時刻が売上げの発生時刻から１分以内であるか否かが判定される（ステップＳＴ２４）。つまり、売上げ発生時刻から１分以内に補給開始がされていれば、この貸し機５への補給は売上げに伴うメダル２の払出しに起因すると想定して正常な払出しとみなしている。一方、補給開始が売上げ発生時刻から１分以内でない場合や売上げ自体が発生していない場合には、ステップＳＴ２４の判定がＮＯとなるので、報知制御手段５８により、異常の発生を知らせる信号がホールコンピュータ４５に対して出力される（ステップＳＴ２５）。
【００８５】
ステップＳＴ２４において判定がＹＥＳの場合には、管理コンピュータ４６において売上げ情報をクリアするとともに当該貸し機５への補給を開始する（ステップＳＴ２６）。すなわち、異常がないことを条件として貸し機５への補給を行うようにしている。そして、補給終了信号Ｓ２があるまで補給を継続し（ステップＳＴ２７）、補給終了信号Ｓ２が入力されると補給を終了する（ステップＳＴ２８）。所定時間ごとに以上のステップが繰り返し行われる。
【００８６】
以上説明したように、本実施形態によれば、メダル２の補給に関する情報と特賞状態の設定に関する情報とが情報処理手段５５によって関連付けられるために、例えば補給装置１から遊技機４へのメダル２の補給が、特賞状態に設定された回数の割に多いというような情報を得ることが可能となる。このため、本実施形態では、遊技機４からメダル２が払い出されるのを直接検知できなくても、あるいは遊技機４から払い出されたメダル２の数を検出できなくても遊技機４の異常の有無を判断可能とすることができる。言い換えると、遊技機４に対する不正操作又は当該遊技機４の故障を見つけるきっかけを得ることができる。しかも、ホールコンピュータ４５から特賞状態の設定に関する情報が得られるので、特賞状態の設定に関する情報を得るために各遊技機４と管理コンピュータ４６とを通信接続する必要がない。このため、現在の設備を変更する必要がない。
【００８７】
しかも本実施形態では、補給要求Ｓ１やボーナス信号Ｓ３を用いて遊技機４の異常有無の判断材料が得られるようにしているので、メダル２の自動補給を行う既存の装備を利用して遊技機４の異常監視装置を構築することができる。このため、異常検知のための装置（例えばセンサー等）を追加する必要がないため、構成を簡素化できるとともにコストの増大を抑制することができる。
【００８８】
さらに本実施形態では、補給に関する情報と特賞状態の設定に関する情報とを関連付けた情報を表示装置５２に表示可能となっているので、表示装置５２での表示を通して、補給状況と特賞状態の設定状況とが関連付けられた情報を視覚的に把握することが可能となる。このため、店員等の遊技機４の状況を監視する者が不正操作又は故障の有無を判断し易くすることができる。
【００８９】
また本実施形態では、所定の判定条件に基づいて異常の有無を判定する判定制御手段５６が含まれているので、店員等の遊技機４の状況を監視する者の判断に任せることなく、遊技機４の異常の有無を自動的に判定することができる。このため、熟練した店員等がいない場合にも遊技機４の異常を判定することが可能となる。また遊技機４の異常の有無についての判断材料が表示装置５２に分かり易く表示されるため、熟練しなくとも異常を的確に判断することが可能となり、遊技場ホール従業員の負担を軽減することができる。
【００９０】
また本実施形態では、異常があったと判定された遊技機４をホールコンピュータ４５に通知するようにしたので、異常のある遊技機４をホールコンピュータ４５で把握することができる。これにより、管理コンピュータ４６から出力される情報を、所定の処置を施すための情報として利用することが可能となる。
【００９１】
また本実施形態では、停止処置手段５９が含まれているので、遊技機４に対する不正操作又は当該遊技機４の故障があった場合に、遊技機４へのメダル２の補給を停止することができる。この結果、不正操作による被害の拡大を抑制することができる。
【００９２】
また本実施形態では、前日以前の所定期間の統計的なデータから算出された特賞状態設定回数（見かけの特賞回数）と、当日に実際に特賞状態に設定された回数とを対比するようにしているので、異常発生の有無についての客観的な判断材料を得ることができる。また、見かけの特賞回数を算出するために全ての遊技機４での補給時間のデータが用いられるため、配置等による遊技機４固有のばらつき原因による見かけの特賞回数への影響を低減することができる。
【００９３】
また本実施形態では、情報処理手段５５が貸し機５の売上げに関する情報と補給に関する情報とを関連付けるので、遊技機４における異常の有無を判断できるだけでなく、貸し機５における異常の有無を判断することができる。すなわち、貸し機５においてメダル２が払い出されたことが当該貸し機５での売上げによるものか否かが分かるので、貸し機５の売上げに関する情報とこの貸し機５への補給に関する情報とを関連付けることにより、貸し機５における異常の有無を判断することができる。
【００９４】
なお、本発明は、前記実施形態に限られるものではなく、その趣旨を逸脱しない範囲で種々変更、改良等が可能である。例えば、前記実施形態では、実際の特賞回数に対する見かけの特賞回数の比Ｃがしきい値よりも大きいか否かによって異常の有無を判定するようにしたが、これに代え、見かけの特賞回数と実際の特賞回数との差を算出し、この差によって異常の有無を判定するようにしてもよい。この場合において、しきい値は、例えば０〜２０回等の所定範囲で設定変更可能としてもよい。
【００９５】
前記実施形態では、第２補給時間を算出するデータとして、前日までの所定期間の累計補給時間が用いられている。すなわち、前記実施形態では、用いられるデータが毎日異なるものとなっている。これに代え、１ヶ月の間は常に、前月データ等のように月末までの所定期間のデータを用いるようにしてもよい。あるいはまた、特賞１回に対する望ましい補給時間を予め設定しておき、この固定値である補給時間を第２補給時間として用いてもよい。この固定値は店舗の状況に応じた値に設定することも可能である。
【００９６】
また、判定制御手段５６が設けられ、この判定制御手段５６によって所定の判定条件に基づいて異常の有無を判定する構成としたが、判定制御手段５６を有さない構成としてもよい。この場合、表示装置５２に実際の特賞回数と見かけの特賞回数とが並べて表示されるのみの構成となる。このような構成でも、表示装置５２の表示内容が異常の有無の判断材料として供されることとなる。このため、遊技機４の異常有無の判断材料を得ることができる。
【００９７】
また、本実施形態では、管理コンピュータ４６に情報処理手段５５、判定制御手段５６、表示制御手段５７、報知制御手段５８及び停止処置手段５９が含まれるようにしたが、これらがメインユニット４０に含まれている構成としてもよい。
【００９８】
また報知制御手段５８を省略してもよい。この場合において、表示装置５２に実際の特賞回数と見かけの特賞回数とを並べて表示するだけの構成であってもよく、あるいは表示装置５２に警告表示を行う構成であってもよい。一方、表示装置５２を省略し、報知制御手段５８によるホールコンピュータ４５への異常の報知のみの構成としてもよい。
【００９９】
また前記実施形態では、実際の特賞回数と見かけの特賞回数との比Ｃを異常の判断材料として供するようにしたが、これに限られるものではない。例えば、補給時間を特賞状態設定中とそれ以外のときとで場合分けをし、その比を異常の判定材料としてもよい。具体的には、管理コンピュータ４６には、特賞回数、補給回数、特賞状態に設定されているときの補給回数（特賞中補給回数）、特賞状態に設定されていないときの補給回数（特賞無し補給回数）が記憶される。なお、表示装置５２には、図１３及び図１４に示すように、これらデータを表示可能となっている。
【０１００】
そして、管理コンピュータ４６の情報処理手段５５は、特賞中補給回数に対する特賞無し補給回数の比Ｃ１を算出し、この比Ｃ１が所定のしきい値よりも大きいか否かにより、異常の有無を判定する。比Ｃ１の算出及び異常判定は、遊技機４ごとに実行される。この態様では、特賞状態に設定されていない状態での補給回数と特賞状態設定中における補給回数との対比が行われるので、特賞状態に設定された回数の影響を除外することができる。したがって、異常の有無についての客観的な判断材料を得ることができる。この場合において、前記実施形態と同様に、判定制御手段５６及び表示装置５２の少なくとも１つを省略することが可能である。
【０１０１】
なお、特賞中補給回数に対する特賞無し補給回数の比Ｃ１を算出せずに、特賞無し補給回数自体が所定のしきい値よりも大きいか否かを判定することにより異常の有無を判定するようにしてもよい。この場合、特賞状態でないにも拘らずメダル２が遊技機４に補給されている回数が、遊技機４の異常有無の判断材料として利用可能となる。すなわち、特賞状態に設定されていない状態では、通常、メダル２が遊技機４に補給されないので、特賞状態以外の状態での補給回数を導出することにより、異常有無についての判断材料を得ることができる。
【０１０２】
また、特賞中補給回数自体が所定のしきい値よりも大きいか否かを判定することも可能である。この場合には、特賞状態に設定されているときに遊技機４にメダル２が補給されている回数が、異常有無の判断材料として利用される。すなわち、１回の特賞状態におけるメダル２の払出し枚数は、各遊技機４においてその設定内容により定まっており、また１回の補給時におけるメダル２の補給枚数も概ね決まっているため、特賞状態にあるとしても補給回数が多すぎないかといった判断を行うことができる。
【０１０３】
また、特賞無し補給回数に基づく異常有無の判定の場合においても、前記実施形態と同様に、判定制御手段５６及び表示装置５２の少なくとも１つを省略することが可能である。
【図面の簡単な説明】
【０１０４】
【図１】本発明の実施形態による異常監視装置が適用された遊技機及び補給装置を概略的に示す図である。
【図２】前記補給装置の供給部を部分的に示す図である。
【図３】前記遊技機に設けられた払出し装置を概略的に示す図である。
【図４】前記補給装置の制御系統を概略的に示すブロック図である。
【図５】メインユニットの構成を示すブロック図である。
【図６】前記遊技機から管理コンピュータへの信号の流れを説明するための説明図である。
【図７】管理コンピュータの構成を示すブロック図である。
【図８】表示装置の表示画面の一例を示す図である。
【図９】表示装置の表示画面の一例を示す図である。
【図１０】遊技機の順番が並べ替えられた状態での表示画面の一例を示す図である。
【図１１】管理コンピュータの制御動作のうち、遊技機の異常監視についての制御動作を説明するためのフロー図である。
【図１２】管理コンピュータの制御動作のうち、貸し機の異常監視についての制御動作を説明するためのフロー図である。
【図１３】その他の実施形態における表示装置の表示画面の一例を示す図である。
【図１４】その他の実施形態における表示装置の表示画面の一例を示す図である。
【符号の説明】
【０１０５】
４０  メインユニット
４５  ホールコンピュータ
４６  管理コンピュータ
４６ａ  制御部
４６ｂ  記憶部
４７  通信線
５２  表示装置
５５  情報処理手段
５６  判定制御手段
５７  表示制御手段
５８  報知制御手段
５９  停止処置手段
【図１】
0005090152.tif 000002
【図２】
0005090152.tif 000003
【図３】
0005090152.tif 000004
【図４】
0005090152.tif 000005
【図５】
0005090152.tif 000006
【図６】
0005090152.tif 000007
【図７】
0005090152.tif 000008
【図８】
0005090152.tif 000009
【図９】
0005090152.tif 000010
【図１０】
0005090152.tif 000011
【図１１】
0005090152.tif 000012
【図１２】
0005090152.tif 000013
【図１３】
0005090152.tif 000014
【図１４】
0005090152.tif 000015